(57)【特許請求の範囲】
【請求項１】
駆動源を備えた工具本体の先端側に、この工具本体に取り付けるためのシャンク部を有する工具装着部材を介してドリル刃を有するセンタードリル及び円筒型刃物を取り付ける工具連結構造であって、
前記円筒型刃物は、その先端部分に切断刃が形成されるとともに、基端部分の内周部分に前記工具装着部材を係脱可能に外嵌するための取付筒部が形成され、
前記工具装着部材は、
前記円筒型刃物並びに前記センタードリルを取り付ける取付部と前記シャンク部とを有する本体部と、
この本体部に設けられ、当該本体部に取り付けられたセンタードリルを着脱不能に拘束する拘束状態と、当該センタードリルを着脱可能とする着脱許容状態とに切替可能なドリル拘束手段と、
前記本体部に相対移動可能に取り付けられ、その移動により、前記円筒型刃物が前記本体部から抜け出すことを阻止するとともに前記ドリル拘束手段を拘束状態にする固定位置と、前記円筒型刃物が前記本体部に対し着脱可能とするとともに前記ドリル拘束手段を着脱許容状態にする解除位置とに切替可能な固定部材とを具備し、
前記固定部材は、前記解除位置と前記固定位置との間に、前記ドリル拘束手段を拘束状態にするが前記円筒型刃物は前記本体部に対し着脱可能とする中間位置を有する
ことを特徴とする工具連結構造。
【請求項２】
駆動源を備えた工具本体の先端側に、この工具本体に取り付けるためのシャンク部を有する工具装着部材を介してドリル刃を有するセンタードリル及び円筒型刃物を取り付ける工具連結構造であって、
前記円筒型刃物は、その先端部分に切断刃が形成されるとともに、基端部分の内周部分に前記工具装着部材を係脱可能に外嵌するための取付筒部が形成され、
前記工具装着部材は、
前記円筒型刃物並びに前記センタードリルを取り付ける取付部と前記シャンク部とを有する本体部と、
この本体部に設けられ、当該本体部に取り付けられたセンタードリルを着脱不能に拘束する拘束状態と、当該センタードリルを着脱可能とする着脱許容状態とに切替可能なドリル拘束手段と、
前記本体部に相対移動可能に取り付けられ、その移動により、前記円筒型刃物が前記本体部から抜け出すことを阻止するとともに前記ドリル拘束手段を拘束状態にする固定位置と、前記円筒型刃物が前記本体部に対し着脱可能とするとともに前記ドリル拘束手段を着脱許容状態にする解除位置とに切替可能な固定部材とを具備し、
前記円筒型刃物と前記本体部とを軸方向に嵌合した状態で特定の角度位置まで相対回転させることにより前記円筒型刃物が前記本体部から抜け出すことが阻止されるように構成されるとともに、前記固定部材は前記固定位置において前記特定の角度位置で前記円筒型刃物と前記本体部との相対回転を阻止し、
前記本体部の前記取付部の外周部分及び前記円筒型刃物の取付筒部の内周部のうち、いずれか一方に、工具先端側から軸方向に延設された縦溝部と当該縦溝部から周方向に延設された横溝部とを備えた係合溝が形成され、かつ、他方に前記係合溝に対して係脱可能に取付可能な突起部が形成され、前記係合溝と前記突起部とが嵌合することにより前記円筒型刃物と前記本体部とが軸方向に嵌合可能とし、
前記縦溝部と前記横溝部とが交わる位置に前記突起部が位置するときに前記前記円筒型刃物と前記本体部とを相対回転させ、前記突起部が前記横溝部に位置する角度位置において、前記円筒型刃物が前記本体部から抜け出すことが阻止されるように構成される
ことを特徴とする工具連結構造。
【請求項３】
駆動源を備えた工具本体の先端側に、この工具本体に取り付けるためのシャンク部を有する工具装着部材を介してドリル刃を有するセンタードリル及び円筒型刃物を取り付ける工具連結構造であって、
前記円筒型刃物は、その先端部分に切断刃が形成されるとともに、基端部分の内周部分に前記工具装着部材を係脱可能に外嵌するための取付筒部が形成され、
前記工具装着部材は、
前記円筒型刃物並びに前記センタードリルを取り付ける取付部と前記シャンク部とを有する本体部と、
この本体部に設けられ、当該本体部に取り付けられたセンタードリルを着脱不能に拘束する拘束状態と、当該センタードリルを着脱可能とする着脱許容状態とに切替可能なドリル拘束手段と、
前記本体部に相対移動可能に取り付けられ、その移動により、前記円筒型刃物が前記本体部から抜け出すことを阻止するとともに前記ドリル拘束手段を拘束状態にする固定位置と、前記円筒型刃物が前記本体部に対し着脱可能とするとともに前記ドリル拘束手段を着脱許容状態にする解除位置とに切替可能な固定部材とを具備し、
前記固定部材の先端には、この固定部材の先端側に突出した形状に回転阻止部が形成されるとともに、
前記円筒型刃物及び前記工具装着部材には、前記回転阻止部と係合するための係合部が形成され、
前記固定部材が前記固定位置に位置するときは、前記回転阻止部材が前記係合部と係合することにより前記円筒型刃物と前記工具装着部材との相対回転を阻止するとともに、
前記固定部材が前記解除位置に位置するときは、前記回転阻止部材が前記係合部に係合せず、前記円筒型刃物と前記工具装着部材との相対回転を可能にする
ことを特徴とする工具連結構造。
【請求項４】
駆動源を備えた工具本体の先端側に、この工具本体に取り付けるためのシャンク部を有する工具装着部材を介してドリル刃を有するセンタードリル及び円筒型刃物を取り付ける工具連結構造であって、
前記円筒型刃物は、その先端部分に切断刃が形成されるとともに、基端部分の内周部分に前記工具装着部材を係脱可能に外嵌するための取付筒部が形成され、
前記工具装着部材は、
前記円筒型刃物並びに前記センタードリルを取り付ける取付部と前記シャンク部とを有する本体部と、
この本体部に設けられ、当該本体部に取り付けられたセンタードリルを着脱不能に拘束する拘束状態と、当該センタードリルを着脱可能とする着脱許容状態とに切替可能なドリル拘束手段と、
前記本体部に相対移動可能に取り付けられ、その移動により、前記円筒型刃物が前記本体部から抜け出すことを阻止するとともに前記ドリル拘束手段を拘束状態にする固定位置と、前記円筒型刃物が前記本体部に対し着脱可能とするとともに前記ドリル拘束手段を着脱許容状態にする解除位置とに切替可能な固定部材とを具備し、
前記センタードリルは、前記ドリル刃と、凹部が形成された基端部とを具備し、
前記本体部の取付部には、その内周部分に、前記センタードリルの基端部を取り付けるセンタードリル挿入孔が形成されるとともに、このセンタードリル挿入孔とこの取付部の外周部分とを貫通する貫通孔が形成され、
前記ドリル拘束手段は、前記貫通孔の内部に保持される係止部材を有し、この係止部材は、前記センタードリル挿入孔の内周から突出して前記センタードリルの基端部に形成された凹部に嵌り込むことにより、前記センタードリルの基端部が前記センタードリル挿入孔から抜け出すことを阻止する係止位置と、この係止位置から外周側に退避して前記センタードリルの基端部が前記センタードリル挿入孔に対し係脱可能とする退避位置との間で前記貫通孔内を移動するものであり、
前記固定部材が前記固定位置に位置するときには、前記係止部材が前記係止位置に保持されるとともに、前記固定部材が前記解除位置に位置するときには前記係止部材が前記退避位置に移動可能とする
ことを特徴とする工具連結構造。
【請求項５】
請求項１〜４のいずれかに記載の工具連結構造において、
前記固定部材は、前記本体部に対して移動可能な状態で外嵌することにより、前記解除位置と前記固定位置との間を移動可能とする
ことを特徴とする工具連結構造。
【発明の詳細な説明】
【技術分野】
【０００１】
本発明は、駆動源を備えた工具本体の先端側に、円筒型刃物及びセンタードリルを取り付けた工具の連結構造に関するものである。
【背景技術】
【０００２】
従来、駆動源を備えた工具本体の先端に、円筒型刃物とセンタードリルとを取り付けるための工具連結構造としては、例えば特許文献１記載のものが存在する。
【０００３】
この工具連結構造は、図１０、図１１に示すとおり、円筒型刃物１１１０と、センタードリル１１２０と、円筒型刃物１１１０及びセンタードリル１１２０を取り付ける工具装着部材１１３０を具備している。なお、図１０は前記工具連結構造の縦断面図であり、図１１は前記工具連結構造のうち円筒型刃物１１１０と工具装着部材１１３０との関係を示す一部正面図である。
【０００４】
工具装着部材１１３０は、工具本体に接続されるシャンク部１１３１と、円筒型刃物１１１０が外嵌するとともにセンタードリル１１２０が内周に取り付けられる取付部１１３２とを有し、取付部１１３２には、その外周に突起１１３３と回り止めピン１１６０とが備えられている。
【０００５】
また、円筒型刃物１１１０は、一端に切断刃１１１１を備えるとともに他端に取付筒部１１１２を備えており、取付筒部１１１２には切欠１１１３が形成されている。そして、この取付筒部１１１２が取付部１１３２に外嵌し、回り止めピン１１６０が切欠１１１３に嵌り込むことにより、円筒型刃物１１１０が工具装着部材１１３０に対して相対回転が阻止された状態で取り付けられている。
【０００６】
さらに、工具装着部材１１３０の外周面には突起１１３３が形成され、この突起１１３３をシャンク部１１３１側から覆う状態で、袋ナット１１４０が取付筒部１１１２の外周面に形成された雄ねじ１１１４に螺合されることにより、円筒型刃物１１１０が工具装着部材１１３０に対して固定されている。
【０００７】
センタードリル１１２０は、一端側にドリル刃１１２１を備えるとともに、他端側に凹部１１２３を備えた基端部１１２２を備え、この基端部１１２２が取付部１１３２の内周部分に挿入されている。そして、取付部１１３２に形成された雌ねじ孔１１３４にボルト１１５０が螺合され、このボルト１１５０の先端が凹部１１２３に圧接することにより、センタードリル１１２０が工具装着部材１１３０に対して固定されている。
【特許文献１】特開平６−３１２３０９号公報（図２、図３）
【発明の開示】
【発明が解決しようとする課題】
【０００８】
前述のような構成を採ると、円筒型刃物１１１０と工具装着部材１１３０との着脱を阻止する袋ナット１１４０と、センタードリル１１２０と工具装着部材１１３０とを固定するボルト１１５０とを軸方向に並べて配置しなければならず、その分構造全体の軸長が増大する。また、円筒型刃物１１１０及びセンタードリル１１２０を工具装着部材１１３０に対して着脱する時には、袋ナット１１４０とボルト１１５０とをそれぞれ個別に操作しなければならず、作業性でも改善が求められる。
【０００９】
そこで本発明は、これらの課題を解決できる工具連結構造を提供することを目的とする
。
【課題を解決するための手段】
【００１０】
本発明は、駆動源を備えた工具本体の先端側に、この工具本体に取り付けるためのシャンク部を有する工具装着部材を介してドリル刃を有するセンタードリル及び円筒型刃物を取り付ける工具連結構造であって、前記円筒型刃物は、その先端部分に切断刃が形成されるとともに、基端部分の内周部分に前記工具装着部材を係脱可能に外嵌するための取付筒部が形成され、前記工具装着部材は、前記円筒型刃物並びに前記センタードリルを取り付ける取付部と前記シャンク部とを有する本体部と、この本体部に設けられ、当該本体部に取り付けられたセンタードリルを着脱不能に拘束する拘束状態と、当該センタードリルを着脱可能とする着脱許容状態とに切替可能なドリル拘束手段と、前記本体部に相対移動可能に取り付けられ、その移動により、前記円筒型刃物が前記本体部から抜け出すことを阻止するとともに前記ドリル拘束手段を拘束状態にする固定位置と、前記円筒型刃物が前記本体部に対し着脱可能とするとともに前記ドリル拘束手段を着脱許容状態にする解除位置とに切替可能な固定部材とを具備したことを基本構成とする。
【００１１】
さらに、請求項１記載の発明では、前記基本構成に加え、前記固定部材は、前記解除位置と前記固定位置との間に、前記ドリル拘束手段を拘束状態にするが前記円筒型刃物は前記本体部に対し着脱可能とする中間位置を有する。
【００１２】
また、請求項２記載の発明では、前記基本構成に加え、前記円筒型刃物と前記本体部とを軸方向に嵌合した状態で特定の角度位置まで相対回転させることにより前記円筒型刃物が前記本体部から抜け出すことが阻止されるように構成されるとともに、前記固定部材は前記固定位置において前記特定の角度位置で前記円筒型刃物と前記本体部との相対回転を阻止し、前記本体部の前記取付部の外周部分及び前記円筒型刃物の取付筒部の内周部のうち、いずれか一方に、工具先端側から軸方向に延設された縦溝部と当該縦溝部から周方向に延設された横溝部とを備えた係合溝が形成され、かつ、他方に前記係合溝に対して係脱可能に取付可能な突起部が形成され、前記係合溝と前記突起部とが嵌合することにより前記円筒型刃物と前記本体部とが軸方向に嵌合可能とし、前記縦溝部と前記横溝部とが交わる位置に前記突起部が位置するときに前記円筒型刃物と前記本体部とを相対回転させ、前記突起部が前記横溝部に位置する角度位置において、前記円筒型刃物が前記本体部から抜け出すことが阻止されるように構成される。
【００１３】
また、請求項３記載の発明では、前記基本構成に加え、前記固定部材の先端には、この固定部材の先端側に突出した形状に回転阻止部が形成されるとともに、前記円筒型刃物及び前記工具装着部材には、前記回転阻止部と係合するための係合部が形成され、前記固定部材が前記固定位置に位置するときは、前記回転阻止部材が前記係合部と係合することにより前記円筒型刃物と前記工具装着部材との相対回転を阻止するとともに、前記固定部材が前記解除位置に位置するときは、前記回転阻止部材が前記係合部に係合せず、前記円筒型刃物と前記工具装着部材との相対回転を可能にする。
【００１４】
また、請求項４記載の発明では、前記基本構成に加え、前記センタードリルは、前記ドリル刃と、凹部が形成された基端部とを具備し、前記本体部の取付部には、その内周部分に、前記センタードリルの基端部を取り付けるセンタードリル挿入孔が形成されるとともに、このセンタードリル挿入孔とこの取付部の外周部分とを貫通する貫通孔が形成され、前記ドリル拘束手段は、前記貫通孔の内部に保持される係止部材を有し、この係止部材は、前記センタードリル挿入孔の内周から突出して前記センタードリルの基端部に形成された凹部に嵌り込むことにより、前記センタードリルの基端部が前記センタードリル挿入孔から抜け出すことを阻止する係止位置と、この係止位置から外周側に退避して前記センタードリルの基端部が前記センタードリル挿入孔に対し係脱可能とする退避位置との間で前記貫通孔内を移動するものであり、前記固定部材が前記固定位置に位置するときには、前記係止部材が前記係止位置に保持されるとともに、前記固定部材が前記解除位置に位置するときには前記係止部材が前記退避位置に移動可能とする。
【００１５】
請求項５記載の発明は、請求項１〜４のいずれかに記載の工具連結構造において、前記固定部材は、前記本体部に対して移動可能な状態で外嵌することにより、前記解除位置と前記固定位置との間を移動可能とする。
【発明の効果】
【００１６】
前記の基本構成を採れば、前記固定部材のみで、前記円筒型刃物が前記本体部から抜け出すことを阻止するとともに前記ドリルが前記本体部から抜け出すことを阻止することが可能となるため、前記円筒型刃物及び前記ドリルを前記本体部に固定する際に、複数の部品を用いる必要がなく、構造全体の軸長を短くすることが可能となる。
【００１７】
さらに、前記固定部材は、前記円筒型刃物が前記本体部から抜け出すことを阻止するとともに前記ドリル拘束手段を拘束状態にする固定位置と、前記円筒型刃物が前記本体部に対し着脱可能とするとともに前記ドリル拘束手段を着脱許容状態にする解除位置とに切替可能とする状態で、前記本体部に取り付けられているため、前記固定部材を前記固定位置と前記解除位置とに切り替えるのみで、前記円筒型刃物及びセンタードリルを工具装着部材に対して着脱可能な状態にすることが可能となる。したがって、作業性を改善することが可能となる。
【００１８】
さらに、請求項１記載の発明の構成を採れば、前記ドリル拘束手段を拘束状態にするが前記円筒型刃物は前記本体部に対し着脱可能とする中間位置を有しているため、前記円筒型刃物のみを取り外すときの作業性を向上させることが可能となる。
【００１９】
請求項２記載の発明の構成を採れば、前記円筒型刃物と前記本体部とを軸方向に嵌合した状態で特定の角度位置まで相対回転させることにより前記円筒型刃物が前記本体部から抜け出すことが阻止されるように構成されているため、前記円筒型刃物を前記本体部から取り外す際には、一度、前記円筒型刃物と前記本体部との位置関係を前記特定の角度位置以外の位置にした後に、前記円筒型刃物と前記本体部との嵌合状態を解除する必要がある。したがって、前記円筒型刃物が前記本体部から抜け出すことをより有効に阻止することが可能となる。さらに、前記本体部の前記取付部の外周部分及び前記円筒型刃物の取付筒部の内周部のうち、いずれか一方に、工具先端側から軸方向に延設された縦溝部と当該縦溝部から周方向に延設された横溝部とを備えた係合溝を形成し、かつ、他方に前記係合溝に対して係脱可能に取付可能な突起部を形成することにより、簡素な構成で、前記の効果を実現することが可能となる。
【００２０】
請求項３記載の発明の構成を採れば、前記回転阻止部材が前記係合部と係合することにより前記円筒型刃物と前記工具装着部材との相対回転を阻止するため、前記相対回転をより確実に阻止することが可能となる。
【００２１】
請求項４記載の発明の構成を採れば、前記固定位置で、前記貫通孔内の係止部材を係止位置に拘束し、前記解除位置で前記係止部材を前記退避位置側に開放するように、前記固定部材の形状を設定するだけで、この固定部材の移動により前記センタードリルが前記本体部に対して固定される状態と着脱可能な状態との切替を行うことが可能となる。
【００２２】
請求項５記載の発明の構成を採れば、前記固定部材は、前記本体部に対して移動可能な状態で外嵌することにより、前記解除位置と前記固定位置との間を移動可能とすることが可能となるため、簡素な構造で、前記解除位置と前記固定位置との間を移動可能とすることが可能となる。
【発明を実施するための最良の形態】
【００２３】
本実施形態における工具連結機構について、図１〜図７を用いて説明する。
【００２４】
この工具連結機構は、駆動源を備えた図略の工具本体の先端側に設けられているものであり、図１に示すような円筒型刃物１０と、センタードリル２０と、工具装着部材３０とを有している。
【００２５】
円筒型刃物１０は、その先端部分（図１では下端部分）に周方向に並ぶ複数の切欠０１ａを有し、各切欠１０ａの角部にチップ状の切断刃１１が固着されている。円筒型刃物１０の基端部分（図１では上端部分）には、工具装着部材３０を係脱可能に外嵌するための取付筒部１２が形成されている。この取付筒部１２の内周面には、周方向に並ぶ複数の凹部が形成され、各凹部に剛球１２１が埋め込まれており、この剛球１２１の一部が取付筒部１２の内周面から内方に突出することにより、工具装着部材３０に係止される突起が形成されている（図５参照）。一方、取付筒部１２の端部には、後述する本体部４０の回転阻止部５１が嵌り込み可能な係合用切欠１２２が形成されている。
【００２６】
センタードリル２０は、図３に示すとおり、先端側にドリル刃２１を有し、基端部２２には、略六角柱の形状に形成された嵌合部２２１と、この嵌合部２２１よりも先端側に位置して他の２０の部分より若干小径に形成された凹部２２２とを備えている。
【００２７】
工具装着部材３０は、円筒型刃物１０及びセンタードリル２０を駆動源を備えた工具本体に接続するものであり、図１、図２に示すとおり、本体部４０と固定部材５０とを備えている。
【００２８】
本体部４０は、前記工具本体の回転軸に連結されるシャンク部４１と、円筒型刃物１０及びセンタードリル２０が取り付けられる取付部４２とを備えている。
【００２９】
取付部４２は、円筒状の外周面を有し、その軸方向中間部に径方向外側に突出する鍔部４３が形成され、この鍔部４３の周方向の一部に、その外周部分を軸方向に貫いて後述の回転阻止部５１が挿通可能な係合用凹部４３１（図１、図７参照）が形成されている。
【００３０】
この鍔部４３の先端側に位置する先端部４４の外周部分には係合溝４５が形成されている。この取付部４２の軸心部分には先端側に開口するドリル取付孔４６が形成され、取付部４２の周壁にはこれを径方向に貫いてドリル取付孔４６と取付部４２の外部とを連通する貫通孔４７が形成されている。
【００３１】
係合溝４５は、前記剛球１２１と係合するものであり（図５参照）、図４に示すとおり、先端部４４の先端部分から鍔部４３に向けて軸方向に延設された縦溝部４５１と、縦溝部４５１の基端部分から略周方向に延設された横溝部４５２とを備えている。
【００３２】
ドリル取付孔４６は、センタードリル２０を本体部４０に取り付けるための孔であり、図２に示すとおり、本体挿入孔４６１と係合孔４６２とを備えている。本体挿入孔４６１は、センタードリル２０のドリル刃２１及び凹部２２２が収納される部分である。係合孔４６２は、略六角柱の形状に形成されており、センタードリル２０の嵌合部２２１と嵌合し、センタードリル２０と本体部４０とが相対回転することを阻止する。
【００３３】
貫通孔４７は、取付部４２の外周部分と本体挿入孔４６１との間を貫通するように設けられ、その内部及び周辺にはドリル拘束手段６０が配置されている。
【００３４】
ドリル拘束手段６０は、鋼球６１（係止部材に相当）と、線ばね６２とを備えている。鋼球６１は、本体挿入孔４６１の周縁から少し突出した係止位置と、この位置から取付部４２の外周側へ退避する退避位置との間で、貫通孔４７内を移動するものであり、前記センタードリル２０がドリル取付孔４６に嵌合しているときに、この鋼球６１が本体挿入孔４６１の周縁から前記係止位置まで突出すると、この鋼球６１は、前記センタードリル２０の凹部２２２に嵌り込まれる構成となっている。なお、図２に示された鋼球６１は、後述する通り、前記凹部２２２に嵌り込まれる位置となっている。
【００３５】
線ばね６２は、取付部４２の外周のうち、貫通孔４７が形成されている位置を取り巻くように配置されており、鋼球６１を取付部４２の内周側に付勢している。すなわち、前記センタードリル２０の着脱は、後に詳述するように鋼球６１がこの線ばね６２の付勢力に抗して取付部４２の外周側に退避する動作を伴いながら行われる。
【００３６】
固定部材５０は、略円筒状をなし、前記取付部４２に外嵌された状態で配置されている。この固定部材５０には、取付部４２の外周に略当接する当接部５０ａを備えている。また、固定部材５０の先端には、先端側に突出する複数の回転阻止部５１が形成されるとともに、固定部材５０の内周面には、この固定部材５０を付勢するための付勢手段７０を収納するための付勢手段収納部５２が凹設されている。
【００３７】
回転阻止部５１は、くさび状に形成され、固定部材５０の外周に沿って略等間隔に複数形成されている。なお、回転阻止部５１のうち、取付部４２と対向する面である内周面５１ａは、当接部５０ａよりも外周側に位置するように形成されている。また、付勢手段収納部５２は、シャンク部４１側に開放された形状を有し、その反対側には付勢手段当接部５２１が形成されている。
【００３８】
付勢手段７０は、係止部７１と、ばね部材７２とを備えている。係止部７１は付勢手段収納部５２から回転阻止部５１側に離れた位置で取付部４２の外周面に固定されており、この係止部７１と付勢手段収納部５２との間に圧縮状態でばね部材７２が装入されている。そして、このばね部材７２の弾発力により、固定部材５０は、工具先端側（図２においては右側）に付勢されている。
【００３９】
次に、この工具連結機構による円筒型刃物１０並びにセンタードリル２０と、工具装着部材３０との連結状態について説明する。
【００４０】
図２及び図５は、工具装着部材３０に円筒型刃物１０が固定された状態を示している。円筒型刃物１０は、工具装着部材３０の本体部４０の取付部４２に、円筒型刃物１０の取付筒部１２が外嵌することにより連結されている。さらに、取付筒部１２の剛球１２１が取付部４２に形成された横溝部４５２の奥部まで侵入することにより抜け止めされている。そして、固定部材５０の先端に形成された回転阻止部５１が本体部４０の鍔部４３の係合用凹部４３１（図１、図７参照）及び係合用切欠１２２に嵌合する位置（固定位置に相当。以下、固定位置と称す。）に、固定部材５０が配置されることにより、円筒型刃物１
０及びセンタードリル２０及び工具装着部材３０が相互に回転することが阻止されている。そして、これらの部材が相互に回転することが阻止されることにより、前記剛球１２１が横溝部４５２に位置する状態に固定されることになり、円筒型刃物１０は工具装着部材３０に取り付けられた状態で固定されている。なお、固定部材５０は、前記付勢手段７０により前記固定位置に保持されるように付勢されている。
【００４１】
さらに、かかる状態においては、センタードリル２０がドリル取付孔４６に取り付けられている場合、工具装着部材３０に、センタードリル２０が固定されることになる。以下、図６を用いて工具装着部材３０にセンタードリル２０が固定されている状態を説明する。
【００４２】
センタードリル２０の基端部２２の嵌合部２２１は、取付部４２に形成されたドリル取付孔４６の係合孔４６２に嵌合されることにより、センタードリル２０と工具装着部材３０とが相対回転することが阻止されている。さらに、貫通孔４７内にある鋼球６１が、線ばね６２による付勢力により、係合孔４６２の内周から突出し、その位置（係止位置に相当。以下、係止位置と称す。）で、基端部２２の凹部２２２に嵌合されている。さらに、線ばね６２の径方向外側には取付部４２の外周面に略密着する固定部材５０の当接面５０ａが存在することにより、線ばね６２及び鋼球６１が取付部４２の外周側に退避することが阻止され、鋼球６１が凹部２２２に嵌合した状態が維持されている。すなわち、固定部材５０が前記固定位置に位置することによりドリル拘束手段６０が、センタードリル２０を着脱不能に拘束する拘束状態に保持されている。
【００４３】
次に、図７において、工具装着部材３０から円筒型刃物１０を着脱可能にする状態を示す。固定部材５０は、付勢手段７０からの付勢力に抗して前記固定位置から基端側（図２、図７においては左側）に移動され、前記係合用凹部４３１（図１、図７参照）並びに前記係合用切欠１２２から前記回転阻止部５１がシャンク部４１側に抜け出た位置（解除位置に相当。以下、解除位置と称す。）に配置されている。
【００４４】
すなわち、円筒型刃物１０と工具装着部材３０とが相互に回転することが可能となり、前記剛球１２１が横溝部４５２（図５参照）に位置する状態では、円筒型刃物１０と工具装着部材３０とを相対回転させることにより、剛球１２１を縦溝部４５１と横溝部４５２とが交わる位置に配置する状態まで移動させることが可能となる。さらに、剛球１２１を縦溝部４５１と横溝部４５２とが交わる位置に位置させた状態で円筒型刃物１０を工具装着部材３０に対して軸方向に移動させ、縦溝部４５１内において剛球１２１を移動させることにより、円筒型刃物１０を工具装着部材３０から取り外すことが可能となる。
【００４５】
さらに、かかる状態においては、センタードリル２０がドリル取付孔４６に取り付けられている場合、工具装着部材３０からセンタードリル２０を取り外すことが可能となる。以下、図８を用いて工具装着部材３０からセンタードリル２０を取り外す状態を説明する。
【００４６】
前記固定部材５０が前記解除位置に位置することにより、前記取付部４２の外周部分のうち、前記線ばね６２が配置されている位置には固定部材５０の当接部５０ａが存在せず、当接部５０ａの外周側に位置する回転阻止部５１の内周面５１ａが存在するため、取付部４２の外周のうち貫通孔４７が形成された部分と固定部材５０の内周面５１ａとの間には間隙が形成されている。したがって、鋼球６１及び線ばね６２は、前記係止位置から取付部４２の外周側に退避することが可能となる。よって、センタードリル２０を、ドリル取付孔４６から抜き出すように引き出すと、鋼球６１は線ばね６２の付勢力に抗して解除位置から取付部４２の外周側に退避する位置（退避位置に相当。以下、退避位置と称す。）に移動し、鋼球６１と凹部２２２との嵌合が外れ、センタードリル２０を工具装着部材
３０の本体部４０から取り外すことが可能となる。すなわち、固定部材５０が前記退避位置に位置することにより、ドリル拘束手段６０は、センタードリル２０を本体部４０に対して着脱可能な着脱許容状態とされている。
【００４７】
なお、図９、図１０に示すように、前記固定部材を、前記固定位置と前記解除位置との間の特定の中間位置に位置させることにより、本体部４０とセンタードリル２０との固定状態を維持しながらも本体部４０と円筒型刃物１０との相対回転のみを許容する状態にすることも可能である。
【００４８】
この位置では、前記回転阻止部５１は、前記係合用凹部４３１及び係合用切欠１２２に嵌合せずに鍔部４３と接触する状態で配置され、円筒型刃物１０及びセンタードリル２０及び工具装着部材３０が相互に回転することが可能となっている。
【００４９】
また、前記固定部材５０は、前記取付部４２のうち、前記線ばね６２が配置されている位置の外周に存在しているため、鋼球６１及び線ばね６２は、前記係止位置から取付部４２の外周側に退避することが阻止されている。すなわちドリル拘束手段６０は、センタードリル２０を着脱不能に拘束する拘束状態となっている。
【００５０】
したがって、円筒型刃物１０と工具装着部材３０とは相対回転可能であり、円筒型刃物１０を工具装着部材３０から取り外すことが可能であるが、センタードリル２０は工具装着部材３０の本体部４０に固定されている。
【００５１】
さらに、以下に、円筒型刃物１０並びにセンタードリル２０を工具装着部材３０に取り付ける手順、及び、円筒型刃物１０並びにセンタードリル２０を工具装着部材３０から取り外す手順について説明する。
【００５２】
円筒型刃物１０並びにセンタードリル２０を工具装着部材３０に取り付けるときは、まず、前記固定部材５０を、前記付勢手段７０の付勢力に抗して前記固定部材から前記解除位置に移動させる。
【００５３】
次に、センタードリル２０をドリル取付孔４６内に挿入して、センタードリル２０の嵌合部２２１をドリル取付孔４６の係合孔４６２に嵌合させることにより、センタードリル２０を工具装着部材３０の本体部４０に取り付ける。
【００５４】
さらに、円筒型刃物１０の取付筒部１２の剛球１２１を、本体部４０の取付部４２に形成された縦溝部４５１に嵌め込み、この剛球１２１を縦溝部４５１内において移動させ、剛球１２１を縦溝部４５１と横溝部４５２とが交わる部分に位置させることにより取付筒部１２と取付部４２とを嵌合させ、かかる状態で円筒型刃物１０と本体部４０とを相対回転させることにより、横溝部４５２内において剛球１２１を移動させることにより、前記円筒型刃物１０が本体部４０から抜け出すことを阻止した状態で、円筒型刃物１０を本体部４０に取り付ける。
【００５５】
最後に、前記固定部材５０を、前記付勢手段７０からの付勢力で前記解除位置から前記固定位置に移動させることにより、センタードリル２０を本体部４０に固定するとともに、円筒型刃物１０を本体部４０に対して回転することを阻止して円筒型刃物１０を工具装着部材３０に固定する。なお、固定部材５０は、付勢手段７０からの付勢力により固定位置に保持される。また、センタードリル２０を本体部４０に取り付ける手順と、円筒型刃物１０の本体部４０に取り付ける手順とは、特に順番を固定する必要はなく、いずれの手順を先に行ってもよい。
【００５６】
この装着状態から、円筒型刃物１０並びにセンタードリル２０を工具装着部材３０から取り外すときは、前記固定部材５０を、前記付勢手段７０からの付勢力に抗して前記固定部材から前記解除位置に移動させればよい。
【００５７】
この解除位置では、固定部材５０がドリル拘束手段６０を着脱許容状態にするので、この状況で、ドリル取付孔４６に挿入されたセンタードリル２０をドリル取付孔４６から抜き出して工具装着部材３０の本体部４０から取り外すことができる。
【００５８】
その一方、円筒型刃物１０は本体部４０に対する相対回転が許容されるので、この相対回転によって、円筒型刃物１０の取付筒部１２の剛球１２１を、剛球１２１を縦溝部４５１と横溝部４５２とが交わる部分に位置させ、かかる状態で円筒型刃物１０を本体部４０に対し軸方向に移動させ、剛球１２１を縦溝部４５１内において移動させることにより、円筒型刃物１０を本体部４０から取り外す。なお、センタードリル２０を本体部４０から取り外す手順と、円筒型刃物１０を本体部４０から取り外す手順とは、特に順番を固定する必要はなく、いずれの手順を先に行ってもよい。
【００５９】
以上の実施形態を採れば、固定部材５０のみで、円筒型刃物１０が本体部４０から抜け出すことを阻止するとともにセンタードリル２０が本体部４０から抜け出すことを阻止することが可能となるため、円筒型刃物１０の着脱切替及びセンタードリル２０の着脱切替にそれぞれ別々の部材を用いる場合に比べ、構造全体の軸長を短くすることが可能となる。
【００６０】
さらに、固定部材５０を前記固定位置と前記解除位置とに切り替えるのみで、円筒型刃物１０及びセンタードリル２０を本体部４０に対して着脱可能な状態にすることが可能となる。したがって、作業性を改善することが可能となる。
【００６１】
また、固定部材５０は、本体部４０に対して移動可能な状態で外嵌されていることにより前記解除位置と前記固定位置との間を移動可能とすることが可能となるため、簡素な構造で、前記解除位置と前記固定位置との間を移動可能とすることが可能となる。
【００６２】
さらに、ドリル拘束手段６０を拘束状態にするが、円筒型刃物１０は本体部４０に対し着脱可能とする中間位置を有しているため、円筒型刃物１０のみを取り外すときの作業性を向上させることが可能となる。
【００６３】
また、本実施形態においては、円筒型刃物１０の取付筒部１２に形成された剛球１２１を縦溝部４５１と横溝部４５２とが交わる部分に配置させる状態とすべく円筒型刃物１０と本体部４０とを軸方向に嵌合し、かかる状態で円筒型刃物１０と本体部４０とを相対回転させて剛球１２１を横溝部４５２内に配置させることにより、円筒型刃物１０が本体部４０から抜け出すことが阻止されるように構成されている。したがって、円筒型刃物１０を本体部４０から取り外す際には、一度、剛球１２１が横溝部４５２に位置する状態から、縦溝部４５１と横溝部４５２とが交わる部分に配置させるべく、円筒型刃物１０と本体部４０とを相対回転させて、その後に、円筒型刃物１０と本体部４０との嵌合状態を解除する必要がある。したがって、円筒型刃物１０が本体部４０から抜け出すことをより有効に阻止することが可能となる。
【００６４】
また、回転阻止部５１が取付筒部１２に形成された係合用切欠１２２と係合することにより円筒型刃物１０と工具装着部材３０の本体部４０との相対回転を阻止するため、前記相対回転をより確実に阻止することが可能となる。
【００６５】
以上、本発明の実施形態について説明したが、本発明の具体的構成は前記実施形態に限
定されず、特許請求の範囲内で種々変更可能である。以下、他の実施形態について例示する。
【００６６】
本体部４０の取付部４２の外周部分に係合溝４５を形成し、円筒型刃物１０の取付筒部１２の内周部に剛球１２１を備える代わりに、取付筒部１２の内周部に係合溝４５を形成し、本体部４０の取付部４２の外周部分に剛球１２１を備えるように構成してもよい。
【００６７】
また、線ばね６２の代わりに板ばね、ゴム等を用いて鋼球６１を付勢してもよい。
【図面の簡単な説明】
【００６８】
【図１】本発明の一実施形態に係る工具連結構造を示す斜視図である。
【図２】本発明の一実施形態に係る工具連結構造において、固定部材が固定位置に配置されている状態を示した一部断面正面図である。
【図３】本発明の一実施形態に係るセンタードリルを示した正面図である。
【図４】本発明の一実施形成に係る本体部における取付部の先端部分を示した一部正面図である。
【図５】図２のＶ−Ｖ線断面図である。
【図６】図２の状態でセンタードリルを取付部に取り付けた状態を示した部分断面図である。
【図７】本発明の一実施形態に係る工具連結構造において、固定部材が解除位置に配置されている状態を示した一部断面正面図である。
【図８】図７の状態でセンタードリルを取付部から取り外す状態を示した部分断面図である。
【図９】本発明の一実施形態に係る工具連結構造において、固定部材が中間位置に配置されている状態を示した一部断面正面図である。
【図１０】図９の状態でのドリル拘束手段及びその付近を示した拡大図である。
【図１１】従来技術に係る工具連結構造を示す断面正面図である。
【図１２】従来技術に係る工具連結構造のうち、円筒型刃物と工具装着部材との関係を示す一部正面図である。
【符号の説明】
【００６９】
１０  円筒型刃物
１１  切断刃
１２  取付筒部
１２１  剛球（突起部）
１２２  係合用切欠（係合部）
２０  センタードリル
２１  ドリル刃
２２  基端部
２２２  凹部
３０  工具装着部材
４０  本体部
４１  シャンク部
４２  取付部
４３１  係合用凹部（係合部）
４５  係合溝
４５１  縦溝部
４５２  横溝部
４６  ドリル取付孔（センタードリル挿入孔）
４７  貫通孔
５０  固定部材
５１  回転阻止部
６０  ドリル拘束手段
６１  鋼球（係止部材）
【図１】
0004680560.tif 000002
【図２】
0004680560.tif 000003
【図３】
0004680560.tif 000004
【図４】
0004680560.tif 000005
【図５】
0004680560.tif 000006
【図６】
0004680560.tif 000007
【図７】
0004680560.tif 000008
【図８】
0004680560.tif 000009
【図９】
0004680560.tif 000010
【図１０】
0004680560.tif 000011
【図１１】
0004680560.tif 000012
【図１２】
0004680560.tif 000013